(57)【要約】【課題】  釣り用スナップにおいて、比較的細いバネ用線材を使うことで、スナップ引掛け開閉操作を指先での弱い押し圧操作で出来る釣り用スナップが、釣り時で強力な魚の引き荷重に耐えることの出来る小型軽量使い勝手の良い強靭な釣り用スナップを提供すること。【解決の手段】  バネ用線材１を屈曲させてなる釣り用スナップにおいて、両サイドに設けたニ分割でなる、フック部２のその双方の開口部Ａには略Ｕの字曲げでの、鉤状引掛け部３がバネ性弾発性Ｃでなる開成体と閉成体を微力なアクション操作Ｗ可能にし、且つ、これらの鉤状引掛け部３にチュウブ体４等を程良い差し込み固さでスライドＳ貫通させることで、釣り時にフック部２に強烈な引きＰによる集中荷重を受けても鉤状引掛け部３の変形での外れ不具合を防止可能な構成にする。【選択図】図１
2011036230.tif 000002
【特許請求の範囲】
【請求項１】
バネ用線材１を屈曲させてなる釣り用スナップにおいて、両サイドに設けたニ分割でなる、フック部２のその双方の開口部Ａには略Ｕの字曲げでの、鉤状引掛け部３がバネ弾発性Ｃでなる開成体と閉成体を微力なアクション操作Ｗ可能にし、且つ、これらの鉤状引掛け部３にチュウブ体４等を程良い差し込み固さでスライドＳ貫通させることで、釣り時にフック部２に強烈な引きＰによる集中荷重を受けても、鉤状引掛け部３の変形での外れ不具合を防止可能にしたことを特徴とする、釣り用スナップ。
【請求項２】
前記する両サイドに設けたフック部２の片方をリンク部５での開口部Ａ無しでのフック部２にし、他方のフック部２の開口部Ａに鉤状引掛け部３とそれに係合自在でなる、チュウブ体４等を使ってのフック部２にしたことを特徴とする、請求項１記載の釣り用スナップ。
【請求項３】
前記する２分割でのフック部２を一つのループ状にし、開口部Ａに一対でなる着脱自在の鉤状引掛け部３とそれに係合スライドＳでなるチュウブ体４等を貫通させてなるフック部２にしたことを特徴とする請求項１記載の釣り用スナップ。
【発明の詳細な説明】
【技術分野】
【０００１】  この発明は釣り用スナップに関し、詳しくは、釣り時に強力な引っ張り荷重に耐える釣り用スナップで、極めて弱いバネでの押し圧操作でスナップの開閉が出来る大物釣りから小物釣りに幅広く使える、使い勝手の良い釣り用スナップに関する。
【背景技術】
【０００２】  この種の従来の技術として、ハリス、錘、ルアー、エギ等の仕掛けを装着させるために、図５で示す様に現在市場に出回っている釣り用スナップが大小様々な形成での弱い操作バネ圧から強力な操作バネ圧からなる釣り用スナップが知られる。また特許文献１に他の釣り用スナップ等が開示されている。即ち、図５で知られる釣り用スナップは、ルアー釣りや投げ釣りから磯や船からの大物釣りに使われるが、これらはバネ用線材１で比較的太い硬質ステンレスバネ用線材を８の字形状に屈曲させてのフック部２ａａ成形で、２分割でなる輪郭の両側に設けたフック部２ａａのそれぞれの開口部Ａにバネ性弾発性Ｃでの鉤状引掛け部３ａａで開閉可能でのアクション操作Ｗに依って好みの釣り用具の装着用リング部を吊るすことの出来る、釣り用スナップが知られる。【０００３】  また、文献１でのこの種の釣り用スナップでは、不用意にフック部が外れる不具合を防止した釣り用スナップで、バネ用線材を環状体に屈曲させ形成し、片端部のフック部は開閉の出来ないリング体で、他方のフック部の鉤状引掛け部がバネ材弾力性で境界部付近の窪みでなる係止部に開閉自在に引っ掛けられる構成で、リング体のフック部に釣り糸が結ばれ、他方のフック部の開放でなる係止部にルアー等を着脱自在に接続出来る構成である。【０００４】
【特許文献１】特開２００９−２７９５５号公報
【発明の開示】
【発明が解決しようとする課題】
【０００５】  しかしながら、前記する図５或いは、文献１で知られる釣り用スナップは、フック部２ａａの開口部Ａに設けた鉤状引掛け部３が強烈な引っ張り荷重に耐えて変形での外れるのを防止する為、バネ性の硬い線径を太くし鉤状引掛け部３の曲げが強烈な引っ張り負荷で変形しない様に加工される為、線径の太い硬いバネ用線材のバネ圧に逆らってアクション操作Ｗを掛けて外さなければならない為、治具を使わない限り、開閉操作に支障をきたすなどの課題に残る。【０００６】  そしてまた、細い線径での弱いバネ材を使ってのアクション操作Ｗの良いフック部２ａａにする事で、釣りの最中における仕掛けに作用する様々な引っ張り荷重によって、不用意に鉤状引掛け部が弾性変形で外れるなどの課題がある。【０００７】  このように此の種の釣り用スナップは、引っ張り荷重に強い釣り用スナップほど開閉操作に難がある等の課題が有り、元より弱いバネ性での線材で微力な操作力で釣り場での強烈な引っ張り荷重に耐え、鉤部引掛け部が外れることのない、使い勝手の良い釣り用スナップが強く要望されていた。【０００８】  また、この種の釣り用スナップがサルカンとセットで構成するスナップ付きサルカンにおいては、サルカンの破壊強度と同等のスナップの強度にするのにスナップの線材の太さや形状にかなり無理があり一般的にスナップ強度がかなり低下している等の課題がある。
【課題を解決するための手段】
【０００９】  この発明は、かかる課題を解決する為に，請求項１での発明は図１で全体を示しての斜視図で図２は使用例を示しての斜視図で述べるに、バネ用線材１を屈曲させてなる釣り用スナップにおいて、両サイドに設けたニ分割でなる、フック部２のその双方の開口部Ａには鉤状引掛け部３がバネ弾発性Ｃでなる開成体と閉成体を微力なアクション操作Ｗ可能にし、且つ、これらの鉤状引掛け部３にチュウブ体４等を程良い差し込み固さでスライドＳ貫通させることで、釣り時にフック部２に付加する引きＰによる集中荷重を受けても、鉤状引掛け部３の変形による外れ不具合を防止可能な構成にする。【００１０】  次に、請求項２での発明は図３での全体を示しての斜視図で述べるに、前記する両サイドに設けたフック部２の片方をリンク部５での開口部Ａ無しでのフック部２にし、他方のフック部２の開口部Ａに鉤状引掛け部３とそれに係合でなるチュウブ体４等でなるフック部２の構成にする。【００１１】  また次に、前記するニ分割でのフック部２を一つのループ状にし、開口部Ａに一対でなる鉤状引掛け部３とそれに係合するチュウブ体４等でスライドＳ貫通でなるフック部２にした構成にする。
【発明の効果】
【００１２】  この発明は、上述の通り構成作用するので次の効果を奏する。即ち、請求項１での効果は、極細い線材で構成出来ることで、鉤状引掛け部の開閉操作は治具を使う事無く、弱い指先の力で操作が出来、釣り時での強力な引っ張り荷重でも鉤状引掛け部がチュウブ体に覆われていることで、変形外れることの無い、小さな釣り用スナップで超大物釣りまで出来る、小型軽量強靭な、釣り用スナップを提供出来る。【００１３】  次に、請求項２での効果は、ハリス、道糸、錘等に接続に良く使われるスナップ付きサルカンでの、サルカンリングと当発明でなるリンク部が連結構成にする事で、小型軽量強靭でサルカン強度と均等な強度でなる、指先操作の出来る強靭な、釣り用スナップを提供出来る。【００１４】  つぎにまた、請求項３での効果は、フック部を一つのループ状にし一つの鉤状引掛け部にすることで、仕掛けに使う用具の装着用リングを同時に差し込み連結が出来、フック部はバネ性での伸縮自在に復元の出来る、開口部のきが大きく用具の吊るし易い、小型軽量強靭で容易に指先操作の出来る釣り用スナップを提供出来る。
【発明を実施するための最良の形態】
【００１５】  以下本発明に付いて図面を用いて詳細に説明する。図１は本発明での第１実施例を示しての全体を示しての斜視図である。比較的細いバネ用線材１を略菱形に屈曲し、ニ分割フック部２の傾斜曲げでの分割線部２Ａに沿うって設けた双方の開口部Ａにはスナップ開閉自在でなるフック部２端子を折り曲げでなる、鉤状引掛け部３がバネ弾発性Ｃでの開成体と閉成体を分割線部２Ａに引掛け係合する構成でこれらの鉤状引掛け部３には伸縮性のポリウレタン等でなるチュウブ体４がやや固めに差し込まれ巻き装され、変形を防ぐ構成で、これらの開閉操作でのアクション操作Ｗは微力な指先押し圧で開閉操作可能な微弱バネ圧で有りながら釣り時での強烈な両フック部２に掛かる引っ張りでの引掛けの弾性変形を防ぎ、引掛け外れを防止する構成である。【００１６】  次に、図２は本発明での第１実施例での使用例を示しての斜視図である。フック部２を両端に持っニ分割境界の傾斜曲げでの分割線部２Ａに沿うって設けた双方の開口部Ａは、双方のフック部２の端末を折り曲げでの鉤状引掛け部３を指先操作で開閉するのに、鉤状引掛け部３に差し込まれたチュウブ体４をスライドＳさせ鉤状引掛け部３を露出させ、これらを矢印ｂ方向にバネ圧に逆らい移動させることで、分割線部２Ａの傾斜曲げから鉤状引掛け部３が外れ、バネ弾発性Ｃで開く開口部Ａに仕掛けでの釣り用具の装着用リング部が差し込まれ、開いた鉤状引掛け部３に再度アクション操作Ｗでの押し圧を付加し、鉤状引掛け部３が分割線部２Ａに引掛けられ、チュウブ体４が元どおりにスライドＳで差し込まれる。今、双方のフック部２に掛かる余剰な引っ張り荷重での双方の鉤状引掛け部３の移動は分割線部２Ａの中央に向け移動し、中間で双方がかち合い引きがロックされ、引きの解除によってバネ性の復元力で元の位置に鉤状引掛け部３が定着しこれらの変形での外れることを防いでいることが分かる。【００１７】  次に、図３は本発明での第２実施例を示しての全体での斜視図で、前記する両側に設けたフック部２の片方をリンク部５での開口部Ａ無しでのフック部２にし、他方のフック部２の開口部Ａに鉤状引掛け部３とそれにスライドＳ係合でなるチュウブ体４で構成するが、これらは、主にサルカンと組合せ，スナップ付きサルカンとしての使い方が一般的で即ち、サルカンのリング部に当発明のリンク部５を接続して取り外しの出来ない構成での、他の一つのフック部２の開口部Ａに差し込まれ仕掛けのハリス、錘、ルアー、エギ等用具の装着用リングを着脱自在に接続可能な構成とし、鉤状引掛け部３の開閉操作は前記第１実施例に準ずるものである。【００１８】  次に、図４は本発明での第３実施例を示しての使用例を兼ねての斜視図で、前記するニ分割でのフック部２をループ状にし、開口部Ａに一対でなる鉤状引掛け部３同志が係合し、一つの開口部Ａから仕掛け用具の装着用リングを着脱自在に接続可能な構成とする。
また、一対での引掛け部は片方をリング状にし、これに鉤状引掛け部３を差し込み開閉自在にする等も良い。また、前記するチュウブ体４は特定する事無く、それに変わるロック手段で対応する構成でも良い。即ちフック部２の端子の折り曲げでなる開口部Ａの引掛け部が過度な引っ張り荷重での変形を防止する構成を具現化するものである。
【図面の簡単な説明】
【００１９】
【図１】  本発明に係わる第１実施例での全体を示しての斜視図である。
【図２】  本発明に係わる第１実施例での使用例での斜視図である。
【図３】  本発明に係わる第２実施例での全体を示しての斜視図である。
【図４】  本発明に係わる第３実施例での全体を示しての斜視図である。
【図５】  従来技術での全体を示しての斜視図である。
【符合の説明】
【００２０】    Ａ        開口部
Ｃ        バネ弾発性
Ｐ        引き
Ｓ        スライド
Ｗ        アクション操作
１        バネ用線材
２、２ａａフック部
２Ａ      分割線部
３、３ａａ鉤状引掛け部
４        チュユブ体
５        リンク部
【図１】
2011036230.tif 000003
【図２】
2011036230.tif 000004
【図３】
2011036230.tif 000005
【図４】
2011036230.tif 000006
【図５】
2011036230.tif 000007